(57)【要約】      （修正有）【課題】簡略な構成で安価であるとともに、任意の位置で引き出しプレートがロックされる引き出しプレートのロック装置を提供する。【解決手段】引き出しプレート外面にロックピン３が取り付けられ、引き出しプレートが収納される収納部空間内面にロックピン保持部材５が取り付けられ、引き出しプレートが所定の引き出し位置において、ロックピン３がロックピン保持部材５に保持されてロックされる。ロックピン保持部材のロックピンの入出部それぞれの外端側は、ロックピンの導入を容易にするように開き形態とされている。【選択図】図１
0003225631.tif 000002
【実用新案登録請求の範囲】
【請求項１】
引き出しプレート外面にロックピンが取り付けられ、前記引き出しプレートが収納される収納部空間内面にロックピン保持部材が取り付けられ、
前記引き出しプレートが所定の引き出し位置において、前記ロックピンが前記ロックピン保持部材に保持されてロックされることを特徴とする引き出しプレートのロック装置。
【請求項２】
引き出しプレート外面にロックピン保持部材が取り付けられ、前記引き出しプレートが収納される収納部空間内面にロックピンが取り付けられ、
前記引き出しプレートが所定の引き出し位置において、前記ロックピンが前記ロックピン保持部材に保持されてロックされることを特徴とする引き出しプレートのロック装置。
【請求項３】
前記ロックピン保持部材の前記ロックピンの入出部それぞれの外端側が、前記ロックピンの導入を容易にするように開き形態とされている請求項１または２記載の引き出しプレートのロック装置。
【考案の詳細な説明】
【技術分野】
【０００１】  この考案は、引き出しプレートのロック装置に関する。
【背景技術】
【０００２】  例えば、病院の床頭台には、物品が載置可能な引き出しプレートが設けられて便利に使用されている。この引き出しプレートは、例えば、一杯に引き出された位置、引き出し途中の位置等でロックされるようになっている。
【考案の概念】
【考案が解決しようとする課題】
【０００３】  従来において、上記のロック構造は引き出し用のスライドレールに組み込まれており、したがってそのスライドレールは構造が複雑で高価であり、また、引き出しプレートのロック位置も任意の位置とすることができなかった。
【課題を解決するための手段】
【０００４】  この考案は、簡略な構成で安価であるととともに、任意の位置で引き出しプレートがロックされる引き出しプレートのロック装置を提供することを目的とする。
【０００５】  請求項１の考案では、引き出しプレート外面にロックピンが取り付けられ、前記引き出しプレートが収納される収納部空間内面にロックピン保持部材が取り付けられ、前記引き出しプレートが所定の引き出し位置において、前記ロックピンが前記ロックピン保持部材に保持されてロックされることを特徴とする引き出しプレートのロック装置を、請求項２の考案では引き出しプレート外面にロックピン保持部材が取り付けられ、前記引き出しプレートが収納される収納部空間内面にロックピンが取り付けられ、前記引き出しプレートが所定の引き出し位置において、前記ロックピンが前記ロックピン保持部材に保持されてロックされることを特徴とする引き出しプレートのロック装置を提供する。
【０００６】  上記それぞれの考案によれば、ロックピンがロックピン保持部材に保持されて引き出しプレートがロックされ、引き出しプレートはその位置に安定配置される。ロックピンもしくはロックピン保持部材の位置を引き出しプレートの引き出し方向における任意の位置とすることで、任意の位置に引き出しプレートがロック配置される。ロックピンとロックピン保持部材の使用個数は適宜であってよい。また、ロックピンとロックピン保持部材の取り付けは引き出しプレートの外面であれば適宜であってよく、それに対応してロックピン保持部材とロックピンの取り付けは収納部空間内面であれば適宜であってよい。
【０００７】  上記それぞれの考案において、ロックピン保持部材のロックピンの入出部それぞれの外端側が、ロックピンの導入を容易にするように開き形態とされている構成とすることで、引き出しプレートが移動する際にロックピンがロックピン保持部材の入出部に容易に入り、引き出しプレートの移動動作がスムーズに行われる。
【考案の効果】
【０００８】  この考案によれば、簡略な構成で安価であるととともに、任意の位置で引き出しプレートがロックされる引き出しプレートのロック装置が提供される。
【図面の簡単な説明】
【０００９】
【図１】  この考案の引き出しプレートのロック装置の実施形態の斜視図
【図２】  この考案の引き出しプレートのロック装置の実施形態のロックピン保持部材の平面図
【図３】  この考案の引き出しプレートのロック装置の実施形態の使用説明図
【図４】  この考案の引き出しプレートのロック装置の実施形態の使用説明図
【図５】  この考案の引き出しプレートのロック装置の実施形態の使用説明拡大図
【図６】  この考案の引き出しプレートのロック装置の実施形態の使用説明図
【図７】  この考案の引き出しプレートのロック装置の実施形態の使用説明図
【図８】  この考案の引き出しプレートのロック装置の実施形態の使用説明図
【図９】  この考案の引き出しプレートのロック装置の実施形態の使用説明図
【図１０】  この考案の引き出しプレートのロック装置の異なる実施形態の使用説明図
【考案を実施するための形態】
【００１０】  図１はこの考案の引き出しプレートのロック装置の斜視図であり、引き出しプレートのロック装置１は、金属製のロックピン３と弾力性を持つ樹脂製のロックピン保持部材５から構成される。
【００１１】  ロックピン３は円柱状で中央に取り付け穴７を備え、その取付け穴７においてネジ４により、図４に示すように、床頭台等の引き出しプレート６の下面に取り付けられて用いられる。
【００１２】  ロックピン保持部材５は、図２にも示すように、ベース部９とその両端部側から立ち上がり中央側に相対して延び出す４個のガイド片１１より構成され、４個のガイド片１１それぞれにより２対のロックピン３の出入部１３が構成されている。ガイド片１１それぞれの端部は外方への折れ曲がり部１０を備え、それら４個の折れ曲がり部１０に囲まれる部分がロックピン３の保持部１２を形成している。ベース部９には両端の近傍に取り付け穴１５のそれぞれが設けられ、出入部１３のそれぞれはガイド片１１のそれぞれが平面位置において内方に傾斜配置されることで外端側が開き形態とされている。ロックピン保持部材５は取付け穴１５それぞれにおいて、図４に示すように、ネジ４により床頭台等の引き出しプレート６の収納部空間２０の底面１６に取り付けられて用いられる。
【００１３】  図３、図４は引き出しプレート６下面と収納部空間２０の底面１６へのロックピン３とロックピン保持部材５の取り付け配置例を示す。引き出しプレート６下面の後部の中央位置に１個のロックピン３が下方に突出するように取り付けられ、収納部空間２０の底面１６の前部、中間部、後部のそれぞれの中央位置に合計３個のロックピン保持部材５のそれぞれが取り付けられている。引き出しプレート６は両側部がスライドレール２２に支持されることで収納部空間２０内に引き出し移動が可能なように設けられている。
【００１４】  図３、図４は引き出しプレート６の全部が収納部空間２０内に収納された状態を示し、ロックピン３は後部のロックピン保持部材５に保持されている。図５に示すように、ロックピン３はロックピン保持部材５の保持部１２に４個の折れ曲がり部１０によって弾力的に保持され、引き出しプレート６はロックされている、これにより、外部より力がかかった場合にも引き出しプレート６が収納部空間２０内に安定して納められている。
【００１５】  次に、引き出しプレート６が引き出されると、ロックピン３は前側の一対のガイド片１１を押し開いて前部の出入部１３を通って後部のロックピン保持部材５から離脱して中間部のロックピン保持部材５に至る。中間部のロックピン保持部材５の後部の開き形態の入出部１３から入ったロックピン３は後側の一対のガイド片１１を押し開いて保持部１２に入り、図６、図７に示すように、保持部１２に弾力的に保持され、引き出しプレート６はロックされている。これにより、引き出しプレート６は途中まで引き出された状態において安定した状態で使用される。
【００１６】  さらに、引き出しプレート６が引き出されると、ロックピン３は上記と同様にして中間部のロックピン保持部材５から離脱し、前部のロックピン保持部材５に至り、図８、図９に示すように、上記と同様にしてその保持部１２に弾力的に保持され、引き出しプレート６はロックされている。これにより、引き出しプレート６は全体が引き出された状態において安定した状態で使用される。
【００１７】  図１０は他の実施形態を示し、ロックピン３とロックピン保持部材５のそれぞれは上記実施形態で使用したものと同一形状であり、ロックピン３は収納部空間２０の底面１６に取り付けられ、ロックピン保持部材５は引き出しプレート６の下面に取り付けられている。この実施形態においても、ロックピン３がロックピン保持部材５の保持部１２に保持されることで、上記実施形態のものと同様に引き出しプレート６は各位置において安定した状態で使用される。
【符号の説明】
【００１８】  １    引き出しプレートのロック装置
３    ロックピン
５    ロックピン保持部材
６    引き出しプレート
２０  収納部空間
【図１】
0003225631.tif 000003
【図２】
0003225631.tif 000004
【図３】
0003225631.tif 000005
【図４】
0003225631.tif 000006
【図５】
0003225631.tif 000007
【図６】
0003225631.tif 000008
【図７】
0003225631.tif 000009
【図８】
0003225631.tif 000010
【図９】
0003225631.tif 000011
【図１０】
0003225631.tif 000012